【手続補正書】
【提出日】平成19年4月6日(2007.4.6)
【手続補正１】
【補正対象書類名】明細書
【補正対象項目名】００２８
【補正方法】変更
【補正の内容】
【００２８】
記録メディア（メディアカード）１３は、例えばメモリカードや小型ＨＤＤ（ハードディスク）等、当該カメラ１に着脱自在の記録媒体である。
マイク（マイクロフォン）１４は、音声を電気信号（アナログ電気信号）に変換する。音声コーデック回路１５は、マイク１４により変換された電気信号に対し所定のコード処理を行い一定形式の音声データ（デジタル電子データ）を得る。また、音声コーデック回路１５は、その音声データに対し所定のデコード処理を行いヘッドフォン１６等の外部の発音装置が発音可能な形式の音声信号（アナログ電気信号）を得る。ジャック４は、音声コーデック回路１５とヘッドフォン１６等の外部の発音装置とを接続するためのコネクターである。ヘッドフォン１６は、入力された音声信号に応じて発音する。
【手続補正２】
【補正対象書類名】明細書
【補正対象項目名】００２９
【補正方法】変更
【補正の内容】
【００２９】
タッチパネル７は、透明のスクリーン状であって、指や専用のペン或いはスティック等で当該パネルを触れる或いはなぞる等の操作により当該カメラ１への各種の入力や指示を可能にするものである。タッチパネル検出回路１９は、指や専用のペン或いはスティック等がタッチパネル７に触れられているときに、その接触位置を検出する。
【手続補正３】
【補正対象書類名】明細書
【補正対象項目名】００３４
【補正方法】変更
【補正の内容】
【００３４】
また、同様にして記録メディア１３に記録されている特定の音声データの選択、再生指示が為されると、その音声データが記録メディア１３から読み出される。読み出された音声データは、音声コーデック回路１５によりデコード処理が行われ、例えばジャック４に接続されているヘッドフォン１６により発音される。
【手続補正４】
【補正対象書類名】明細書
【補正対象項目名】００４４
【補正方法】変更
【補正の内容】
【００４４】
尚、画像の選択が可能な状態（例えば表示画面２５，２６，２７）と、画像を鑑賞するための状態（例えば表示画面２８）とを切り替えるための操作手段としては、例えばカメラ操作ＳＷ２２やタッチパネル７等を利用することが可能である。本実施例では、カメラ操作ＳＷ２２の一つであるＰＬＡＹモードＳＷ６を利用して、これらの状態を切り替えるものとする。
【手続補正５】
【補正対象書類名】明細書
【補正対象項目名】００４７
【補正方法】変更
【補正の内容】
【００４７】
尚、撮影モードが設定されているときには、カメラ操作ＳＷ２２の一つであるレリーズＳＷ３が操作されると、撮影動作を実行し、撮影された画像データが記録メディア１３に記録される。一方、記録メディア１３に記録された画像データに係る画像の閲覧は、再生モードが設定されているときに可能になっている。再生モードへの設定切り替えは、カメラ操作ＳＷ２２の一つであるＰＬＡＹモードＳＷ６の操作により可能である。また、撮影モードへの設定切り替えは、カメラ操作ＳＷ２２の一つであるＲＥＣモードＳＷ５の操作により可能である。
【手続補正６】
【補正対象書類名】明細書
【補正対象項目名】００４８
【補正方法】変更
【補正の内容】
【００４８】
Ｓ１の後、続いて、ＰＬＡＹモードＳＷ６が操作されたか否かを判定し（Ｓ２）、その判定結果がＹｅｓの場合にはＳ３へ進み、Ｎｏの場合にはＳ１へ戻る。尚、Ｓ２がＮｏとなって処理がＳ１へ戻ったときには、Ｓ１にて、あらためて撮影モードの設定が行われることはない。
【手続補正７】
【補正対象書類名】明細書
【補正対象項目名】００５３
【補正方法】変更
【補正の内容】
【００５３】
これらのＳ４乃至７によって、動作モードが再生モードに切り替えられた後は、タッチパネル７の操作によって画像の選択が可能な状態となる。
Ｓ７の後、続いて、パネル操作フラグが”１”であるか”０”であるかを判定し（Ｓ８）、その判定結果が”１”である場合にはＳ９へ進み、”０”である場合にはＳ１９へ進む。
【手続補正８】
【補正対象書類名】明細書
【補正対象項目名】００７０
【補正方法】変更
【補正の内容】
【００７０】
一方、Ｓ８の判定結果が”０”の場合、或いは、Ｓ１１の判定結果がＮｏの場合には、続いて、ＲＥＣモードＳＷ５が操作されたか否かを判定し（Ｓ１９）、その判定結果がＹｅｓの場合にはＳ２０へ進み、Ｎｏの場合にはＳ２２へ進む。
【手続補正９】
【補正対象書類名】明細書
【補正対象項目名】００７９
【補正方法】変更
【補正の内容】
【００７９】
例えば、Ｐ３（Ｒ３，θ３）において始めて操作角度θｘ（＝θ０−θ３）が所定値θｘｏを超えたとすると、ここで駒番号Ｎｘの変更が行われる。そして、このときのＰ３を新たな測定開始基準点として設定し、再び、Ｐ３から所定時間Δｔ間隔で順に取得される位置データ毎に、操作角度θｘの算出が行われる。
【手続補正１０】
【補正対象書類名】明細書
【補正対象項目名】００８０
【補正方法】変更
【補正の内容】
【００８０】
例えば、Ｐ３を新たな測定開始基準点として設定してから、Ｐ７（Ｒ７，θ７）において始めて操作角度θｘ（＝θ３−θ７）が所定値θｘｏを超えたとすると、ここで再び駒番号Ｎｘの変更が行われる。
【手続補正１１】
【補正対象書類名】明細書
【補正対象項目名】０１０６
【補正方法】変更
【補正の内容】
【０１０６】
一方、表示画面３８において、操作支援マーク３５に対応するタッチパネル７の操作領域を指で右下から左上方向へなぞると、反対に、駒番号がカウントアップされ、これにより、表示画面４０に示したように、駒番号１０の画像に代わって駒番号１１の画像データに係る画像が表示される。
【手続補正１２】
【補正対象書類名】明細書
【補正対象項目名】０１１４
【補正方法】変更
【補正の内容】
【０１１４】
１      デジタルカメラ
２      撮影レンズ
３      レリーズＳＷ
４      ジャック
５      ＲＥＣモードＳＷ
６      ＰＬＡＹモードＳＷ
７      タッチパネル
８      ＣＣＤ
９      ＣＣＤインターフェース回路
１０    ＦｌａｓｈＲｏｍ
１１    ＳＤＲＡＭ
１２    システムコントローラ
１３    記録メディア
１４    マイク
１５    音声コーデック回路
１６    ヘッドフォン
１８    液晶モニタ
１９    タッチパネル検出回路
２０    液晶モニタ駆動回路
２１    白黒ＬＣＤ
２２    カメラ操作ＳＷ
２３    ＵＳＢコントローラ
２４    操作支援マーク
２５、２６、２７、２８  表示画面
２９    操作軌跡
３０    操作開始位置
３１    操作終了位置
３２    操作軌跡
３３    操作開始位置
３４    操作終了位置
３５    操作支援マーク
３６、３７  矢印
３８、３９、４０、４１  表示画面
【手続補正１３】
【補正対象書類名】図面
【補正対象項目名】図２
【補正方法】変更
【補正の内容】
【図２】
2006067439.tif 000001
【手続補正１４】
【補正対象書類名】図面
【補正対象項目名】図６
【補正方法】変更
【補正の内容】
【図６】
2006067439.tif 000002
【手続補正１５】
【補正対象書類名】図面
【補正対象項目名】図７
【補正方法】変更
【補正の内容】
【図７】
2006067439.tif 000003